(57)【要約】      （修正有）【課題】水中において水素を発生させ、簡易的に水素水の生成及び水素濃度測定が可能で、携帯が可能な簡易型水素水生成器を提供する。【解決手段】生成器本体カバー部Ａ１と生成器本体キャップ部Ａ２が分離され、生成器本体表面部に液晶表示部Ａ３と生成スイッチ部Ａ４、Ａ５を有し、生成器本体カバー部Ａ１に連結され露出された電極部Ａ６及び水素濃度測定センサー部Ａ７があり、生成器本体カバー部裏面には、単三電池挿入部Ａ８と電池カバー部Ａ９がある。電極部Ａ６は水中にて電気分解を行い水素を発生させるため、陽極および陰極の２本の電極から形成され、電極部上部には電極棒固定保護キャップＡ１０がある。電極の素材は、マグネシウム電極での生成も可能であるが、チタンやプラチナ、又はこの複合材料が望ましい。又、水素濃度測定センサー部Ａ７の材質はプラチナや金、又はこの複合材料が望ましい。【選択図】図２
0003195995.tif 000002
【実用新案登録請求の範囲】
【請求項１】
本体部に連結される内部電極部及び水素濃度測定センサー部が設けられ、任意の水量に対し２段階の選択により短時間で水素水が生成可能であり、同時に生成された水素水における水素濃度測定が可能である、携帯可能な水素濃度測定機能付簡易型水素水生成器。
【請求項２】
本体部に連結される内部電極部及び水素濃度測定センサー部が設けられ、生成された水素水における水素濃度測定の際、酸化還元電位測定値及び水素濃度測定値表示が可能である、水素濃度測定機能付簡易型水素水生成器。
【考案の詳細な説明】
【技術分野】
【０００１】  本考案は、水中において水素を発生させ、簡易的に水素水の生成及び水素濃度測定が可能である、携帯が可能な簡易型水素水生成器に関するものである。
【背景技術】
【０００２】  水素水は近年、各飲料メーカーにおいて、アルミパックやアルミボトルに封入されたもの、ペットボトルに封入されたもの、又、水中において水素を発生させる錠剤や、棒状の水素発生素材を用い水素水を生成するもの、ポット内に電極を固定し水素水を生成させるもの、電極を挿入留置し水素水を生成するものなどがある。【０００３】  水素水は、一定濃度の水素水摂取を行うと、一般的に活性酸素を中和させ、健康増進につながるとの臨床結果や研究機関での実験結果が発表され、水素水を封入したものや、水素水を生成可能な上述のような各種商品が市場に多く出回っている。【０００４】  一般的に実際の水中における水素濃度を測定するには、別途溶存水素計を用いるか、最近ではメチレンブルーを主剤とした溶液を用いた試薬による測定方法がある。又、水素が水中に溶存すると、酸化還元電位測定値がマイナス傾向となることから、酸化還元電位測定値を指標とする場合がある。酸化還元電位は水の酸化力及び還元力の指標として広く認識されており、測定には別途酸化還元電位測定器が用いられる。
【先行技術文献】
【特許文献】
【０００５】
【特許文献１】  特開２００９−２２９２７号公報
【特許文献２】  特開２００４−３４４７８３号公報
【非特許文献１】  株式会社トラストレックス  ＵＲＬ／／ｗｗｗ．ｔｒｕｓｔｌｅｘ．ｃｏ．ｊｐ
【非特許文献２】  アップムイオンコム  ＵＲＬ／／ｗｗｗ．ｕｐ−ｉｏｎ．ｃｏｍ
【非特許文献３】  東亜ディケーケー株式会社  ＵＲＬ／／ｗｗｗ．ｔｏａｄｋｋ．ｃｏ．ｊｐ
【実用新案文献１】
実願２０１４−４００９
【考案の概要】
【考案が解決しようとする課題】
【０００６】  上述の通り、水素水は水素水自体を封入し商品化されたもの、水素水を生成する為の素材を用いた商品、電極を利用し生成を行うものあるが、各種製品における溶存水素濃度は、各メーカー公表値によると、おおよそ０．１ｐｐｍ〜７．０ｐｐｍと幅があり、消費者自らが実際の水中に溶け込んでいる溶存水素を確認するには、溶存水素計を購入し測定を行うか、又は、試薬を用い別途測定を行う必要があった。【０００７】  本考案は、場所を選ばず簡易的に水素水を生成し、且つ一定水素濃度を保持しながら短時間での水素水生成を可能とすると共に、消費者自らが溶存水素濃度測定を同時に行うことが可能な水素濃度測定機能付簡易型水素水生成器を提供する事を目的とする。
【課題を解決するための手段】
【０００８】  本考案である態様の水素濃度測定機能付簡易型水素生成器は、場所を選ばず水素水を生成し、同時に水素濃度測定を行うための装置であり、例えばコップやペットボトルなどに生成器本体容器内に連結された、電極部を留置し、水素水を生成する。又、生成器本体容器内に連結された、水素濃度測定センサー部にて水素濃度測定を行う。生成器本体は、一体を成すが、本体カバー部、本体キャップは分離可能な構造とし、電極部及び水素濃度測定センサー部を露出させることが可能であり、生成器本体下部に、内部電気回路基盤部を内蔵し、生成器本体最下部裏面に電池収納部を設け、生成器本体下部表面に液晶表示部、原水容量において選択可能な生成スイッチ部を有する。【０００９】  水素濃度測定機能付簡易型水素水生成器は、電気回路を変更することにより、水素水生成量や水素水生成時間の増減が可能となる。
【考案の効果】
【００１０】  本考案によれば、簡易的に短時間で一定濃度の水素水を生成することができ、同時に水素濃度測定を実施できる。
【図面の簡単な説明】
【００１１】
【図１】本考案の実施の形態の簡易型水素水生成器の斜視図である。
【図２】本考案の実施の形態の簡易型水素水生成器の展開斜視図である。
【図３】本考案の実施の形態の簡易型水素水生成器の電極部図である。
【図４】本考案の実施の形態の簡易型水素水生成器の液晶表示部図である。
【図５】本考案の実施の形態の簡易型水素水生成器の水素水生成使用図である。
【考案を実施するための形態】
【００１２】  以下に、本考案の実施の形態について、図面を参照して説明する。本考案に係る簡易型水素水生成器は、水素水生成場所を選ばす、簡易的に短時間で一定濃度の水素水を生成と同時に水素濃度測定可能な装置であって、図１は、実施の形態における水素濃度測定機能付簡易型水素水生成器の斜視図である。
生成器本体カバー部Ａ１と生成器本体キャップ部Ａ２が連結され、生成器本体表面部に液晶表示部Ａ３と生成スイッチ部Ａ４、Ａ５を有する。
【００１３】  図２は、本考案の実施の形態の水素濃度測定機能付簡易型水素水生成器の展開斜視図であり、生成器本体カバー部Ａ１と生成器本体キャップ部Ａ２が分離され、生成器本体表面部に液晶表示部Ａ３と生成スイッチ部Ａ４、Ａ５を有し、生成器本体カバー部Ａ１に連結され露出された電極部Ａ６及び水素濃度測定センサー部Ａ７があり、生成器本体カバー部裏面には、単三電池挿入部Ａ８と電池カバー部Ａ９がある。
【００１４】  図３は、本考案の実施の形態の水素濃度測定機能付簡易型水素水生成器の電極部及び水素濃度測定センサー部であり、電極部Ａ６は水中にて電気分解を行い水素を発生させるため、陽極および陰極の２本の電極から形成され、電極部上部には電極棒固定保護キャップＡ１０がある。電極の素材は、マグネシウム電極での生成も可能であるが、水素水生成能力や電極の生成寿命を考慮するとチタンやプラチナ、又はこの複合材料が望ましい。又、水素濃度測定センサー部Ａ７の材質はプラチナや金、又はこの複合材料が望ましい。
【００１５】  図４は、本考案の実施の形態の水素濃度測定機能付簡易型水素水生成器の液晶表示部図であり、生成器本体カバー部Ａ１上部に埋め込まれる形にて液晶表示部Ａ３がある。液晶表示部には、電池残量表示Ｂ１、電極交換表示Ｂ２、センサー部異常表示Ｂ３、水素濃度値表示Ｂ４、酸化還元電位値表示Ｂ５水素水容量表示Ｂ６、Ｂ７があり、液晶表示部下部には、水素水生成スイッチＡ４、Ａ５がある。電池残量表示Ｂ１は、電池残量を３段階にて表示、点灯させる機能を持ち、電極交換表示Ｂ２は、１０００回使用時において電極交換を促す点灯を行い、センサー部異常表示Ｂ３はセンサー異常に点灯し、水素濃度表示Ｂ４および酸化還元電位値Ｂ５は、水素水生成スイッチＡ４、Ａ５の作動後、水素濃度および酸化還元電位を数値にて表示する。水素水生成スイッチＡ４は水素水生成量が概ね２００ｍｌから２５０ｍｌの場合、Ａ５は水素水生成量が概ね４００ｍｌから５００ｍｌに対し使用し、選択が可能となって、いる。
【００１６】  図５は、本考案の実施の形態の簡易型水素水生成器の水素水生成使用図であり、生成器本体カバー部Ａ１より生成器本体キャップ部Ａ２を分離させ、露出された電極部Ａ５を概ね２００ｍｌから２５０ｍｌの水が入っているコップに留置した使用図である。上述の通り、水素水生成量に対して、２種の選択が可能となっている。生成時間は概ね２００ｍｌから２５０ｍｌの場合約３０秒、４００ｍｌから５００ｍｌの場合は約６０秒の生成時間が必要である。
【実施例】
【００１７】  次に、実施の形態の水素濃度測定機能付簡易型水素水生成器の使用方法と、水素濃度測定機能付簡易型水素水生成器が奏する効果を説明する。【００１８】  実施の形態の水素濃度測定機能付簡易型水素水発生器は、例えば携帯及び持ち運びが可能であり、一般的に飲用に供する水量を概ね２００ｍｌから５００ｍｌとし、その適宜水量を水素水として生成可能とする装置であり、露出された電極部Ａ５を当該適宜水量を入れた容器に留置し、適宜水量に対し、水素水生成スイッチＢ７、Ｂ８を任意に選択し水素水の生成を行う。上述した通り、携帯可能であること及び、生成量の選択が可能である。【００１９】  実施の形態の水素濃度測定機能付簡易型水素水生成器は、水素発生の原理である、水の電気分解には金属電極による陽極及び陰極が必要であり、対をなす両極間において水素は陰極側での発生が起きるが、一般的に電気分解を行うことにより、陽極から陰極へ僅かながら金属材料が溶出する事になり、除々に陽極電極の寿命が短くなる現象が起きるが、当該電極は両極切り替え可能な各々独立された電極とし、上述にて水素水生成量において生成量の２通りの選択が可能と述べたが、これは水素水生成量に応じ生成スイッチにて選択を行える事である。この生成スイッチにて選択を行った際、水素発生を行う陰極電極の切り替えが行われる事となり、電極の切り替えが可能な構造を有する。【００２０】  水中における電気分解については上述のとおり、金属電極である陽極および陰極電極が必要であるが、一般的な電気分解による水素水生成に使用される両極電極は、陽極電極と陰極電極の相対距離は並行に等間隔にて対峙している。実施の形態の簡易型水素水生成器は、陽極電極と陰極電極間は並行に対峙させているが、両電極間中心部のみ相対距離を縮めることにより、水中における水素発生量を増加させることができる。電気は陽極から陰極へ流れるが、両電極間の相対距離が均一であれば両電極間に流れる電気も均一であるが、上述のとおり、対峙する両電極間の相対距離の一部を縮めることにより縮めた部分への両極電極への電気の流れが増加し、結果、水中における水素発生量が増加する。【００２１】  上述の実施の形態により水素水を生成中、水中に溶存された水素濃度を測定可能な水素測定センサー部を有し、このセンサーにより水素濃度測定を行い、水素濃度測定数値を本体液晶表示部への表示を行う。水素濃度測定は先ず、センサーにより酸化還元電位値の測定を実施し、当該測定値を内部基盤による電算にて水素濃度値へ換算し表示しているため、液晶表示部への表示は、酸化還元電位測定値、水素濃度測定値両数値の表示が可能である。【００２２】  本考案は上述の実施の形態に限定されるものではなく、実施の形態は本発明の趣旨に基づき種々の変形が可能であり、変形例を本考案の技術的範囲から排除しない。
【産業上の利用可能性】
【００２３】  本考案は、水中において水素を発生させ、簡易的に水素水を生成が可能であると同時に水素濃度測定を行える、水素濃度測定機能付簡易型水素水生成器に関するもので産業上の利用可能性を有する。
【符号の説明】
【００２４】Ａ１    生成器本体カバー部
Ａ２    生成器本体キャップ部
Ａ３    液晶表示部
Ａ４    生成スイッチ部  ペットボトルマーク
Ａ５    生成スイッチ部  カップマーク
Ａ６    電極部
Ａ７    水素測定センサー
Ａ８    単三電池挿入部
Ａ９    電池カバー部
Ａ１０  電極棒固定保護キャップ
Ｂ１    電池残量表示
Ｂ２    電極交換表示
Ｂ３    センサー以上表示
Ｂ４    水素濃度値表示
Ｂ５    酸化還元電位値（ＯＲＰ）表示
Ｂ６    水素水容量表示  ペットボトル
Ｂ７    水素水容量表示  カップ
【図１】
0003195995.tif 000003
【図２】
0003195995.tif 000004
【図３】
0003195995.tif 000005
【図４】
0003195995.tif 000006
【図５】
0003195995.tif 000007
【手続補正書】
【提出日】平成26年11月20日(2014.11.20)
【手続補正１】
【補正対象書類名】実用新案登録請求の範囲
【補正対象項目名】全文
【補正方法】変更
【補正の内容】
【実用新案登録請求の範囲】
【請求項１】
水素水生成器は本体カバー部と本体キャップ部が分離する構造を有し、水素水生成器本体カバー部上部に連結され露出された電極部及び、電極部横に隣接して露出された水素濃度測定センサー部が設けられ、水量に対し２段階の選択可能な生成スイッチを生成器本体カバー部表面に設け、短時間で水素水を生成できる本体カバー部上部に設けた電極により水の電気分解を行い水素水を生成し、同時に生成された水素水の水素濃度を電極部横に隣接した水素濃度測定センサーにより、水素濃度測定が可能である、携帯可能な水素濃度測定機能付簡易型水素水生成器。
【請求項２】
水素水生成器本体カバー部上部に連結され露出された電極部及び、電極部横に隣接して露出された水素濃度測定センサー部が設けられ、生成された水素水の濃度を水素濃度センサーにより測定する際、本体キャップ部表面に設けられた液晶表示部に酸化還元電位数値及び水素濃度数値両方の表示が可能であることを特徴とする請求項１に記載の水素濃度測定機能付簡易型水素水生成器。